(57)【要約】  開示されているのは、コアシェル型マイクロカプセル中へ安定に包含させられることができることに基づいて選択される香料成分を含む香料組成物である。香料選択規則は、香料成分内の電子密度分布の分子記述子‐RECON VOLTAEに基づく。約１２００Ｂｏｈｒ３より大きい、より特定的には１５４０Ｂｏｈｒ３より大きい、およびより特定的には尚約１７５０Ｂｏｈｒ３より大きい既知のRECON_VOLTAE値を有する香料成分は、カプセル封入に特に好適である。【特許請求の範囲】
【請求項１】
懸濁媒体中に分散した少なくとも１つのコアシェル型マイクロカプセルを含む、カプセル封入された香料組成物であって、コアが、約１２００Ｂｏｈｒ３より大きい、より特定的に１５４０Ｂｏｈｒ３より大きい、およびより特定的に尚約１７５０Ｂｏｈｒ３より大きい既知のRECON_VOLTAE値を有する、前記カプセル封入された香料組成物。
【請求項２】
７０ｗｔ％より多い、特に８０ｗｔ％より多い、およびより特定的には９０ｗｔ％より多い香料成分が含有された、該コアシェル型マイクロカプセルのコアが、約１２００Ｂｏｈｒ３より大きい既知のRECON_VOLTAE値を有する、請求項１に記載のカプセル封入された香料組成物。
【請求項３】
３０ｗｔ％より多い、より特定的には３５ｗｔ％より多い、およびより特定的には尚４０ｗｔ％より多い香料成分が、約１５４０Ｂｏｈｒ３より大きい既知のRECON_VOLTAE値を有する、請求項１または２に記載のカプセル封入された香料組成物。
【請求項４】
マイクロカプセルのコア中の７０ｗｔ％より多い、より特定的には８０ｗｔ％より多い、およびより特定的には尚９０ｗｔ％より多い香料成分が、約１７５０Ｂｏｈｒ３より大きい既知のRECON_VOLTAE値を有する、請求項１〜３のいずれか一項に記載のカプセル封入された香料組成物。
【請求項５】
少なくとも３種の香料成分、より特定的には少なくとも５種、尚より特定的に少なくとも７種、およびより特定的には尚少なくとも９種の香料成分が、約１２００Ｂｏｈｒ３より大きいRECON_VOLTAE値を有する、請求項１〜４のいずれか一項に記載のカプセル封入された香料組成物。
【請求項６】
０．１〜３０ｗｔ％、より特定的には１から２０ｗｔ％まで、およびより特定的には尚１から１０ｗｔ％までの香料成分が、１２００Ｂｏｈｒ３を下回る既知のRECON_VOLTAE値を有する、請求項１〜５のいずれか一項に記載のカプセル封入された香料組成物。
【請求項７】
香料成分が、−３を超えるlog10 Kcaps値を有する、請求項１〜６のいずれか一項に記載のカプセル封入された香料組成物。
【請求項８】
香料成分が、グループ１、グループ２またはグループ３の香料成分を含む、請求項１〜７のいずれか一項に記載のカプセル封入された香料組成物。
【請求項９】
組成物中にカプセル封入された香料成分の、摩擦前の香りの総寄与分が、約０．５×１０８と１．０×１０９との間、より特定的には１×１０８と８×１０８との間、およびより特定的には尚１．５×１０８と６×１０８との間である、請求項１〜８のいずれか一項に記載のカプセル封入された香料組成物。
【請求項１０】
香料成分が、グループ４の香料成分を含む、請求項９に記載のカプセル封入された香料組成物。
【請求項１１】
カプセル封入された香料のコア対シェル重量比が、少なくとも９０：１０である、請求項１〜１０のいずれか一項に記載のカプセル封入された香料組成物。
【請求項１２】
請求項１〜１１のいずれか一項において定義されたカプセル封入された香料組成物を含む、消費者製品。
【請求項１３】
グループ１の香料成分を含むカプセル封入された香料組成物を含む、布用柔軟剤組成物。
【請求項１４】
グループ２の香料成分を含むカプセル封入された香料組成物を含む、固体または液体洗剤組成物。
【請求項１５】
グループ３の香料成分を含むカプセル封入された香料組成物を含む、パーソナルクレンジング製品、特にシャンプーまたはヘアコンディショナー。
【請求項１６】
カプセル封入された香料組成物が、グループ４の香料成分を含む、請求項１１〜１５のいずれか一項に記載の消費者製品。
【請求項１７】
懸濁媒体中に分散した少なくとも１つのコアシェル型マイクロカプセルを含むカプセル封入された香料組成物を形成する方法であって、方法が、ｉ）請求項１〜１０のいずれか一項において述べられた選択基準に従い既知のRECON VOLTAEに基づいて選択される香料成分を含む香料組成物を提供すること、およびｉｉ）香料組成物をカプセル封入すること、というステップを含む、前記方法。
【請求項１８】
香料組成物中の香料成分が、それらの既知のKcaps値に基づき、請求項７〜１０において述べられた選択基準に従ってさらに選択される、請求項１７に記載の方法。
【請求項１９】
カプセル封入された香料組成物の漏出に対する耐久性を改善する方法であって、該方法が、請求項１７または１８に記載の方法に従って香料組成物を提供すること、およびｉｉ）香料組成物をカプセル封入すること、というステップを含む、前記方法。
【請求項２０】
請求項１７または１８に記載の方法によって得られる、カプセル封入された香料組成物
【発明の詳細な説明】
【技術分野】
【０００１】
本発明は、コアシェル型マイクロカプセル(core-shell microcapsules)中にカプセル封入されるように設計されている香料組成物に関する。本発明はまた、前記コアシェル型マイクロカプセルを含むカプセル封入した香料組成物ならびに消費者製品(consumer products)、例えば家庭用品、洗濯用製品およびパーソナルケア製品(household, laundry and personal care products)におけるこれらの使用に関する。
【背景技術】
【０００２】
消費者製品、例えば家庭用品、洗濯用製品およびパーソナルケア製品は、典型的には、長期間継続する心地良い香りを、これらが適用される基体へ送達すると予期される香料を含有する。しかしながら、香料が、いわゆる「遊離の油」のような純粋な(neat)形態の製品中に組み込まれる場合、この目的を達成することは、しばしば可能ではない。この理由のために、香料組成物をコアシェル型マイクロカプセルのコア中に調剤する(formulate)ことが、一般的である。
【０００３】
香料をこのようにしてカプセル封入する利点は、当該技術分野において周知である。特に、マイクロカプセルによって、カプセル封入された香料成分の安定性および有用寿命が増大され得る；これらによって、カプセル封入された香料組成物の操作、取り扱いおよび保存が容易になり得、心地良い香りの時間および空間における発散が制御され得る；また、これらによって、これらが懸濁されている攻撃性の外部媒体の化学的アタックから、香料成分が隔離もされ得る。
【０００４】
しかしながら、製造および保存の間コア内容物を外部媒体から保護するのに、そして尚さらに、熱、湿気、化学反応性の作用などの外部刺激に応答してかまたは機械的破砕に応答して所望の時にコア内容物の放出を可能にするのに、不可欠なバリア特性を所有する、コアシェル型マイクロカプセルを設計することは、調合者ら(formulators)にとって依然として相当な困難を伴う問題である。
【０００５】
コアシェル型マイクロカプセル、特にアミノプラストまたはゼラチンシェルを含むものは、多少透過性であり、それらのコア内容物が水性媒体、特に界面活性剤および／または溶媒を含有する水性媒体に懸濁させた際に漏出することを可能にする。香料成分は、拡散のプロセスにおいて徐々にコアから漏出する傾向がある。これは、特に、香料成分を可溶化するかまたはこれをミセル中へ組み込むことによって漏出を促進する非構造化界面活性剤(unstructured surfactants)を含有する媒体における問題である。
【０００６】
香料が早まってマイクロカプセルから抽出されることは、明らかに望ましくないが、同時に、マイクロカプセルが、過度な高機械力の適用への応答以外にこれらの内容物を放出しないほど、強くも、破砕に対して耐久性もあるべきではない。
【０００７】
今日の消費者は、皮膚、毛髪または布などの処置される基体へ適用される物理的力に応答する香料強度（いわゆる摩擦後(post-rub)の強度）の点においてのみならず、物理的力の適用前の芳香知覚（摩擦前(pre-rub)の強度）の点においてもまた、芳香付与された(fragranced)消費者製品の効能について、ますます優劣をはかるようになってきている。摩擦後の強度は、持続的な香料類の利益(sustained perfumery benefits)のために所望されることもあるが、傑出した新鮮さおよび香料強度（摩擦前）もまた、香料類の利益が、消費者製品の適用のすべての段階で知覚可能であることを確実にするために望ましい。
【０００８】
マイクロカプセルからの香料放出を改善することは、先行技術において、カプセル封入されるべき最も適切な香料成分を選択するための規則を提案することによって対処されていた。例えば、カプセルからの改善された香料送達は、US 5,500,138に例示されるとおり、高clogP値を有する大量の成分を含む香料についてクレームされている。
【０００９】
同様に、WO99/65458には、他のパラメーターの中でも、該成分のclogP値に基づいた香料選択基準が教示されている。
WO2004016234には、２．５以上のclog P値を有する香料成分が、最適な性能のため、多量に、つまり８０〜９０重量％において使用されるべきであることが示唆されている。
【００１０】
EP1533364において、clogPは、カプセル封入された香料の設計における重要なパラメーターと見なされる。好ましい香料成分は、３．３以上、より特定的には４以上のclogP値を有するべきであり、これらの成分は、例えば８０重量％超、より特定的には９０重量％超で多量に使用されるべきである。
【発明の概要】
【００１１】
本出願人は、しかしながら、それらのclogP値の考察に基づいたカプセル封入に好適な香料成分を選択することが、高レベルの界面活性剤を含有する媒体に懸濁させた際のマイクロカプセルの漏出安定性も、該カプセル封入された香料組成物の摩擦前の香料衝撃(perfume impact)も、十分に説明していないことを見出した。
【００１２】
消費者製品、特に高レベルの非構築化界面活性剤を含有する消費者製品中へ安定して組み込まれ得る、カプセル封入された香料組成物を提供する必要性が依然としてあり、前記非構築化界面活性剤は、保存中の漏出に対して耐久性があり、基体上に堆積させて長期間継続する芳香印象を提供し得る。
【００１３】
相当な研究努力の後に、本出願人は、香料成分を含有する、カプセル封入された香料組成物が、消費者製品中に組み込まれた際、漏出に対して耐久性があり、さらに基体上に堆積させた際、摩擦前および摩擦後の香料の利益の両方を提供することができるように、該成分を選択するための手段を発見した。
【００１４】
特に、本出願人は、本開示において述べられる香料選択基準を採用することによって、マイクロカプセルのシェルを通しての香料組成物の透過性と、シェルを通しての香料成分の拡散の速度との両方を制御することが可能であることを見出した。
【００１５】
より具体的には、本出願人は、香料成分選択の重大なパラメーターが、
０．００２ｅ／ａ０３
式中
ｅは、無次元の電子電荷であり、および
ａ０は、水素原子のボーア(Bohr)半径である（ａ０＝５．２９１７７２０８５９×１０−１１ｍ）、
に等しい電子密度を有する分子等位面(iso-surface)の、温度に依存しない積分によって反映されるとおり、香料成分内の電子密度分布であることを見出した。
【００１６】
Molecular Operating Environment化学コンピューターソフトウェア（Version 2009, ex Chemical Computing Group, Canada、またはその後のバージョン、および任意にDDASSL RECONソフトウェアプラグイン（Rensselaer Polytechnic Institute, 2001-2003、またはその後のバージョン）を使用する）を採用して、この積分の値は、いわゆるRECON_VOLTAE量子化学的誘導記述子によって与えられる。特に、成分の分子等位面の積分値が、ある値を超過する際、マイクロカプセルシェルを通しての香料成分の漏出が相当に抑制されることが、驚くべきことに見出され、これは本明細書において、下により完全に記載される。にた
【００１７】
RECON VOLTAEは、０．００２ｅ／ａ０３に等しい電子密度を有する分子空間を包囲する分子等位面の局所分布(topography)を記載するかまたは表現するパラメーターである。
【００１８】
したがって、本発明は、第１の側面において、コアシェル型マイクロカプセル中にカプセル封入されるように適合された香料組成物を提供し、ここで該香料組成物は、約１２００Ｂｏｈｒ３より大きな、より特定的に約１５４０Ｂｏｈｒ３より大きな、および尚より特定的に約１７５０Ｂｏｈｒ３より大きな、既知のRECON_VOLTAE値を有する香料成分を含有する。
【００１９】
本発明の別の側面において、懸濁媒体中に分散した少なくとも１つのコアシェル型マイクロカプセルを含む、カプセル封入された香料組成物が提供され、コアは、約１２００Ｂｏｈｒより大きな、より特定的に１５４０Ｂｏｈｒ３より大きな、およびより特定的に尚約１７５０Ｂｏｈｒ３より大きな、既知のRECON_VOLTAE値を有する。
【００２０】
本発明の尚別の側面において、本明細書に記載のとおりのカプセル封入された香料組成物を含有する、本明細書に開示された家庭用品、洗濯用製品およびパーソナルケア製品などの消費者製品が提供される。
【００２１】
本発明のさらなる側面は、カプセル封入された香料組成物を調製する方法を包含し、該方法は、本明細書中に述べられた香料選択基準に従って選択され、および本明細書中で述べられた量および相対的比率における、香料成分を一緒に混合するステップを含む。
本発明のさらなる側面はまた、本明細書中に記載された方法に従って作製された、カプセル封入された香料組成物も包含する。
【００２２】
本発明のさらなる側面はまた、本明細書中に開示された家庭用品、洗濯用製品およびパーソナルケア製品などの消費者製品を形成する方法も包含し、前記方法は、本明細書中に記載され、および本明細書中に記載の方法に従って作製された、カプセル封入された香料組成物を、該消費者製品中へ組み込ませるステップを含む。本発明の他の側面は、カプセル封入された香料組成物の漏出に対する耐久性を改善する方法を包含し、前記方法は、本明細書中で述べられた香料選択基準に従って選択され、および本明細書中で述べられた量および相対的比率における香料成分を含有する香料組成物をカプセル封入するステップを含む。
【発明を実施するための形態】
【００２３】
本明細書中で使用されるとき、用語「既知の」は、RECON_VOLTAE値、または本明細書中に記載された他の物理化学的パラメーターのいずれかと関連させて使用されるとおり、その値が、香料組成物の調合者に知られているか、または本発明の教示に従って計算され得ることを意味する。
【００２４】
本発明の態様において、該コアシェル型マイクロカプセルのコアに含有される、７０ｗｔ％より大きい、特に８０ｗｔ％より大きい、およびより特定的に９０ｗｔ％より大きい香料成分は、約１２００Ｂｏｈｒ３より大きい既知のRECON_VOLTAE値を有する。
【００２５】
本発明のより特定的な態様において、該コアシェル型マイクロカプセルのコアに含有される、３０ｗｔ％より大きい、より特定的には３５ｗｔ％より大きい、およびより特定的には尚４０ｗｔ％より大きい香料成分は、約１５４０Ｂｏｈｒ３より大きい既知のRECON_VOLTAE値を有する。
【００２６】
マイクロカプセルのコアに含有される３０ｗｔ％より大きい、より特定的には３５ｗｔ％より大きい、およびより特定的には尚４０ｗｔ％より大きい香料成分が、約１５４０Ｂｏｈｒ３より大きい既知のRECON_VOLTAE値を有する、これらカプセル封入された香料組成物は、攻撃性の（抽出性の）媒体における組み込みに特に好適である。これらの媒体は、四級化エステル界面活性剤（いわゆる「エステルクオート(esterquat)」）および非イオン系界面活性剤を含有する、布の軟化用または調整用製品(fabric softening or conditioning products)を含む。それらは、非構造化界面活性剤を含有する、布の軟化用または調整用製品における使用のために特に好適である。
【００２７】
非構造化界面活性剤は、香料成分を、ミセルまたはベシクルをそれらの周囲に形成し、これによってそれらを可溶化することにより、相対的に自由に抽出することができる。これらは、「構造化界面活性剤(structured surfactants)」と対比され得るが、それらは、液晶などの構造物、、一般にラメラ相（時に「中間相」と称される）において基本的には固定化されており、したがって一般にミセルまたはベシクルを形成することができず、結果としてまったく攻撃性でも抽出性でもない。非構造化界面活性剤組成物は、一般に透明である。これは、構造組成物と対比され得るが、それは一般に、濁っているか、不透明であるかまたは真珠光沢を有する。
【００２８】
布用ソフナーまたは柔軟剤製品(Fabric softener or conditioner products)は、本明細書中、下により完全に記載される。
マイクロカプセルのコア中の、７０ｗｔ％より多い、より特定的に８０ｗｔ％より多い、およびより特定的に尚９０ｗｔ％より多い香料成分が、約１７５０Ｂｏｈｒ３より大きい既知のRECON_VOLTAE値を有する、カプセル封入された香料組成物は、本発明の別の態様を形成する。
【００２９】
マイクロカプセルのコア中の、７０ｗｔ％より多い、より特定的に８０ｗｔ％より多い、およびより特定的に尚９０ｗｔ％より多い香料成分が、約１７５０Ｂｏｈｒ３より大きい既知のRECON_VOLTAE値を有する、カプセル封入された香料組成物は、高レベルの陰イオン系、非イオン系および／または両性イオン系の界面活性剤を含むシャンプーおよび他のパーソナルクレンジング組成物に見出される媒体などの極めて攻撃性の媒体中への組み込みに特に好適である。
【００３０】
本発明の特定の態様に従うと、本明細書に記載のカプセル封入された香料組成物は、それらが、約１２００Ｂｏｈｒ３より大きい、または約１５４０Ｂｏｈｒ３より大きい、または約１７５０Ｂｏｈｒ３より大きいRECON_VOLTAE値を有する、少なくとも３種の香料成分、より特定的には少なくとも５種、尚より特定的には少なくとも７種、より特定的には尚少なくとも９種の香料成分で構成される点で特徴付けられる。
【００３１】
カプセル封入された香料成分に関して本明細書中で使用されるとき、「ｗｔ％」は、カプセル封入された香料成分の総量に対しての、香料成分または香料成分の群の濃度を指す。好ましくは、マイクロカプセルのコアは、香料成分のみを含有するが、しかしながら、香料成分に加えて、コアの内容物が、非香料類成分、または溶媒または希釈剤などの添加剤を含有してもよいことも考慮される。例えば、ある香料成分は、溶液として提供されるか、またはクエン酸トリエチル「ＴＥＣ」などの好適な溶媒で希釈される。かかる場合において、香料の量のみがｗｔ％算出に寄与し、香料成分を溶解または希釈するために使用される溶媒には寄与しないであろう。
【００３２】
かかる溶媒または希釈剤は、香料成分に混和性であり、かつ採用される量において香りをほとんどまたは全く有しない、疎水性材料である。一般的に採用される溶媒は、例えば６超、さらに１０超の高ClogP値を有する。溶媒は、トリグリセリド油、モノおよびジグリセリド、鉱油、シリコーン油、フタル酸ジエチル、ポリ（アルファ−オレフィン）、ヒマシ油およびミリスチン酸イソプロピルを包含する。
【００３３】
マイクロカプセルのコアはまた、一般的に採用されるアジュバントも含有してもよい。用語「アジュバント」は、その快楽的性能以外の、組成物の性能に影響し得る成分を指す。例えば、アジュバントは、香料組成物または該組成物を含有する消費者製品を処理するための助剤(an aid)としての役割を果たす成分であってもよく、またはそれは、香料組成物または消費者製品の取り扱いまたは保存を改善してもよい。それはまた、色または質感を付与するなどの追加的な利益を提供する成分でもあってもよい。
【００３４】
それはまた、耐光性または化学的安定性を、香料組成物または消費者製品に含有される１種以上の成分へ付与する成分でもあってもよい。香料組成物または消費者製品において一般的に使用されるアジュバントの性質およびタイプの詳細な記載は、徹底したものにはなり得ないが、該成分が当業者に周知であることは言及されなければならない。アジュバントの例は、界面活性剤および乳化剤；粘性およびレオロジー改変剤；増粘剤およびゲル化剤；防腐材；色素、染料および着色物質；増量剤、充填剤および補強剤；熱および光の有害な効果に対する安定剤、嵩高剤、酸味料、緩衝剤および酸化防止剤を包含する。
【００３５】
本発明に従う選択のために利用可能な香料成分、ならびに香料類において一般的に使用される添加剤の総覧は、香料類文献、例えば「Perfume & Flavor Chemicals」、S. Arctander（Allured Publishing, 1994)、ならびにこの著作物の後の版に見出され得る（これらは、参照によって本明細書に組み込まれる）。
【００３６】
本明細書中で述べられた既知のRECON_VOLTAE値に従って香料組成物を調合することによって、マイクロカプセルが外部の懸濁媒体中への抽出または漏出に対して高い耐久性を有する点で特徴付けられるカプセル封入された香料組成物を形成することが、可能である。漏出する傾向が低いため、マイクロカプセルが極めて高いコア対シェル重量比を有する点で特徴付けられるカプセル封入された香料組成物を形成することが、可能である。
【００３７】
したがって、本発明の別の側面において、本明細書に記載のとおりのカプセル封入された香料組成物が提供され、ここでマイクロカプセルのコア対シェル重量比は、少なくとも約９０：１０、またはより特定的には少なくとも９５：５である。
【００３８】
本発明の尚別の側面において、カプセル封入された香料組成物を調製する方法が提供され、ここでマイクロカプセルのコア対シェル重量比は、少なくとも約９０：１０、またはより特定的には少なくとも９５：５であり、該方法は、本明細書中で述べられた香料選択基準に従って選択され、本明細書中で述べられた量および相対的比率における香料成分を含有する香料組成物をカプセル封入するステップを含む。
【００３９】
理論によって束縛されることを望まないが、香料成分の電子密度分布は、そのRECON_VOLTAE値によって反映されるとおり、それのシェルを通した拡散または漏出の仕方に影響すると考えられている。特に、本明細書の上に列挙されたしきい値を上回る、例として約１２００を上回るRECON_VOLTAE値を有する成分の拡散は、所与のしきい値を下回るRECON_VOLTAE値を有する香料成分に対して、遅延されるか、またはさらに抑制される。
【００４０】
上のことから、消費者製品、特に攻撃性または抽出性の媒体を含有するもの（パーソナルクレンジング(personal cleansing)組成物および洗濯用洗剤(laundry detergents)において見出されるものなど）において所望の長期安定性を有する一方でさらに、基体上への堆積後に所望の放出速度にて香料を送達する、カプセル封入された香料組成物を提供するために、カプセル封入された香料組成物は、前述の１２００のしきい値を下回る既知のRECON_VOLTAE値を有する、ある量の香料成分を含有するべきということになる。これらの低しきい値(sub-threshold)の香料成分は、マイクロカプセルからより容易に拡散するであろう。
【００４１】
RECON_VOLTAEパラメーター、およびカプセル封入された香料組成物の性能と安定性との両方に対するRECON_VOLTAEの関係性の知識があると、当業者は、好適なカプセル封入された香料組成物を、
低しきい値および高しきい値(super-threshold)の香料成分の両方の比率を均衡させることにより創り出すことができるが、これは、抽出性の媒体を多かれ少なかれ含有する消費者製品において使用される際に、安定でもあり高性能でもあるように設計される。
【００４２】
したがって、１２００Ｂｏｈｒ３を下回るRECON_VOLTAE値を有するカプセル封入された香料成分を加えて含む、本明細書の上に定義されるとおりのカプセル封入された香料組成物は、本発明の尚別の側面を形成する。
【００４３】
本発明の特定の態様において、カプセル封入された香料組成物は、既知のRECON_VOLTAE値を有する香料成分の分布によって特徴付けられ、ここで７０ｗｔ％以上、より好ましくは８０ｗｔ％以上、および最も好ましくは９０ｗｔ％以上の香料成分は、１２００Ｂｏｈｒ３より大きい既知のRECON_VOLTAE値を有し、０．１〜３０ｗｔ％、より特定的には１〜２０ｗｔ％およびより特定的には尚１〜１０ｗｔ％の香料成分は、１２００Ｂｏｈｒ３をした回る既知のRECON_VOLTAE値を有する。
【００４４】
本発明の別の態様において、カプセル封入された香料組成物は、既知のRECON_VOLTAE値を有する香料成分の分布によって特徴付けられ、ここで：
−  ３０ｗｔ％以上、より特定的には３５ｗｔ％以上およびより特定的には４０ｗｔ％以上の香料成分は、１５４０Ｂｏｈｒ３より大きい既知のRECON_VOLTAE値を有する；
【００４５】
−  ２０〜６０ｗｔ％、より特定的には２５〜５０ｗｔ％およびより特定的には尚３０〜４０ｗｔ％の香料成分は、１２００Ｂｏｈｒ３から１５４０Ｂｏｈｒ３までの既知のRECON_VOLTAE値を有する；および
−  ０．１〜３０ｗｔ％、より特定的には１〜２０ｗｔ％およびより特定的には尚１〜１０ｗｔ％の香料成分は、１２００Ｂｏｈｒ３を下回る既知のRECON_VOLTAE値を有する。
【００４６】
本発明の尚別の態様において、カプセル封入された香料組成物は、既知のRECON_VOLTAE値を有する香料成分の分布によって特徴付けられ、ここで：
−  ０．５〜３０ｗｔ％、より特定的には１〜２５ｗｔ％およびより特定的には尚５〜２０ｗｔ％の香料成分は、１７５０Ｂｏｈｒ３を上回る既知のRECON_VOLTAE値を有する；
−  ２０〜６０ｗｔ％、より特定的には２５〜５５ｗｔ％以上、より特定的には尚３０〜５０ｗｔ％以上の香料成分は、１５４０Ｂｏｈｒ３から１７５０Ｂｏｈｒ３までの既知のRECON_VOLTAE値を有する；および
【００４７】
−  ５〜５０ｗｔ％以上、より特定的には１０〜４０ｗｔ％以上、特定的には尚１５〜３０ｗｔ％以上の香料成分は、１２００Ｂｏｈｒ３から１５４０Ｂｏｈｒ３までの既知のRECON_VOLTAE値を有する；および
−  ０．１〜３０ｗｔ％、より特定的には１〜２０ｗｔ％およびより特定的には尚１〜１０ｗｔ％の香料成分は、１２００Ｂｏｈｒ３を下回る既知のRECON_VOLTAE値を有する。
【００４８】
本発明の尚別の態様において、カプセル封入された香料組成物は、既知のRECON_VOLTAE値を有する香料成分の分布によって特徴付けられ、ここで７０ｗｔ％以上、より好ましくは８０ｗｔ％以上および最も好ましくは９０ｗｔ％以上の香料成分は、１７５０Ｂｏｈｒ３より大きい既知のRECON_VOLTAE値を有し；および０．１〜３０ｗｔ％、より特定的には１〜２０ｗｔ％およびより特定的には尚１〜１０ｗｔ％の香料成分は、１７５０Ｂｏｈｒ３を下回る既知のRECON_VOLTAE値を有する。
【００４９】
好ましくは、本発明のカプセル封入された香料組成物の香料成分の既知のRECON_VOLTAE値の重量平均は、１５４０Ｂｏｈｒ３より大きい、およびより特定的には１７５０Ｂｏｈｒ３より大きいべきである。
【００５０】
既知のRECON_VOLTAE値の重量平均は、成分数で除された、成分既知のRECON_VOLTAE値の重み付き代数平均として、ここに定義する：
【数１】
2018525460.tif 000002
式中、ｎは、成分ｉの数であり、％ｉは、成分ｉの重量百分率であり、RECON_VOLTAEｉは、成分ｉのRECON_VOLTAE値である。
【００５１】
特に安定かつ高性能のカプセル封入された香料組成物が、香料成分の選択が、本明細書の上に記載のとおり、RECON_VOLTAEパラメーターに基づくだけでなく、香料成分の平衡ヘッドスペースカプセル(equilibrium headspace-capsule)分配係数「Kcaps」にも従ってなされる際に、調製され得る。平衡ヘッドスペースカプセル分配係数は、
同じ濃度の成分ｉを含む遊離の香料Ｐと平衡にあるヘッドスペース濃度（ＨＳｉｐ）によって除された、所与の濃度で香料成分ｉを含むカプセル封入された香料組成物Ｐを含有するマイクロカプセルと平衡にある香料成分ｉのヘッドスペース濃度（ＨＳｉｃ）として定義される。
【数２】
2018525460.tif 000003
【００５２】
マイクロカプセルと平衡にあるヘッドスペース濃度は、当業者に周知の手法を使用して測定され得る。典型的な手順において、既知の濃度のマイクロカプセルを含有するカプセル封入された香料組成物は、バイアルＶＣへ移送されるが、これは、セプタム(a septum)で閉じられ、２５℃で平衡化させられており、既知の量の遊離の香料は、香料が堆積するる吸い取り紙の細長い一片を含有するバイアルＶＰへシリンジで移送される。バイアルはセプタムで閉じられ、２５℃で平衡化させられる。ヘッドスペースのアリコートは、次に両方のバイアルから採取され、ヘッドスペース濃度プロフィールは、当該技術分野において知られている方法、例えばヘッドスペース毛細管ガスクロマトグラフィー、ヘッドスペースガスクロマトグラフィーイオン移動度分光分析、ガス分光法などを使用して定量的に決定される。
【００５３】
Kcapsは、実験的に決定されてもよく、またはそれは、当該技術分野において知られている手法を使用して成分について算出され得る。特に、マイクロカプセル安定性に対する香料成分の効果は、MOEソフトウェアを使用するQSAR分析から予測され得る。
【００５４】
当業者が評価するであろうとおり、QSAR法は、本発明の文脈において、香料成分の性能がその化学構造と相関し、その結果活性が算出可能な生理化学的寄与の関数としてモデル化され得ると仮定する。性能予測のためのかかるモデルは、次に、既知の香料成分のパレット、または有用な候補成分についての他の分子の実際のライブラリーをスクリーニングするために使用され得る。
【００５５】
本発明において香料成分の代表的な試料のQSAR分析を使用した結果、マイクロカプセルの安定性に対する香料成分の効果に寄与する物理化学的パラメーター（log10 Kcaps）が同定された。
【００５６】
log10Kcapsは、Quantitative Structure Activity Relationshipを構築することにより、計算の化学香料MOE（Molecular Operation Environment、バージョン２０１３．０８．０１、Chemical Computing Group, Corporate Headquarters, 1010 Sherbrooke St. W, Suite 910, Montreal, Canada H3A 2R7から購入した、任意にDDASSL RECONソフトウェアプラグイン（Rensselaer Polytechnic Institute, 2001-2003またはその後のバージョン）を使用して）内で利用可能な分子記述子の線形回帰を実施することにより算出された。QSAR分析は、それらに基づき分析のために選択された合計７５種の香料成分（カプセル封入された香料組成物において使用された一連の代表的な香料成分である）を使用して実行された。その結果得られたQSAR方程式は、下に与えられる：
【００５７】
【数３】
2018525460.tif 000004
【００５８】
上の方程式において使用された分子記述子の定義は、MOEマニュアルバージョン２０１３．０８．０１（Molecular Operation Environment, Chemical Computing Group, Corporate Headquarters, 1010 Sherbrooke St. W, Suite 910, Montreal, Canada H3A 2R7によって編集された）；またはR. TodeschiniおよびV. Consonni, Handbook of Molecular Descriptors, Wiley, 2000；およびDDASSL RECONマニュアル（Rensselaer Polytechnic Institute, 2001-2003またはその後のバージョン）から見出され得る。
【００５９】
数種の香料成分の算出されたlog10 Kcaps値は、下の表中に提供される。
本発明に従うカプセル封入された香料組成物において特に有用である香料成分は、それら夫々のRECON_VOLTAE値およびそれらの算出されたlog10 Kcaps値に従ってグループ化され得る。
【００６０】
したがって、グループ１の香料成分は、１２００Ｂｏｈｒ３より大きいRECON_VOLTAE値および−３超の算出されたlog10Kcapsを有し、ここで用語log10は、１０進法の対数を指す。グループ１の香料成分は、以下のものを包含するが、これらには限定されない。
【００６１】
【表１−１】
2018525460.tif 000005
【００６２】
【表１−２】
2018525460.tif 000006
【００６３】
【表１−３】
2018525460.tif 000007
【００６４】
【表１−４】
2018525460.tif 000008
【００６５】
【表１−５】
2018525460.tif 000009
【００６６】
【表１−６】
2018525460.tif 000010
【００６７】
【表１−７】
2018525460.tif 000011
【００６８】
【表１−８】
2018525460.tif 000012
【００６９】
【表１−９】
2018525460.tif 000013
【００７０】
【表１−１０】
2018525460.tif 000014
【００７１】
【表１−１１】
2018525460.tif 000015
【００７２】
【表１−１２】
2018525460.tif 000016
【００７３】
本発明に従い本明細書の上で言及された量においてカプセル封入された際に、グループ１の香料成分を含有するカプセル封入された香料組成物は、温和な抽出性の媒体、例えば布用ソフナーまたは調整用(fabric softener or conditioning)組成物、特に構造化界面活性剤を含有するそれら組成物において出くわす媒体に懸濁した際に、漏出に対して優れた耐久性を呈する。
【００７４】
約１２００Ｂｏｈｒ３より大きいRECON_VOLTAE値によって特徴付けられる香料成分を含有する、本明細書の上に記載のそれらカプセル封入された香料組成物は、ここでそれら成分は、−３超のlog10 Kcapsによって加えて特徴付けられるが（つまりグループ１の成分）、本発明の追加の態様を形成する。
【００７５】
さらに、該カプセル封入された香料組成物を含有する、布用ソフナーまたは調製用組成物、特に構造化界面活性剤を含有するものは、本発明のさらなる態様を形成する。
香料成分の第２グループ、いわゆるグループ２の成分は、１５４０Ｂｏｈｒ３より大きいRECON_VOLTAE値および−３超のlog10 Kcapsを有する。グループ２の香料成分は、以下を包含するが、これらには限定されない。
【００７６】
【表２−１】
2018525460.tif 000017
【００７７】
【表２−２】
2018525460.tif 000018
【００７８】
【表２−３】
2018525460.tif 000019
【００７９】
【表２−４】
2018525460.tif 000020
【００８０】
【表２−５】
2018525460.tif 000021
【００８１】
【表２−６】
2018525460.tif 000022
【００８２】
【表２−７】
2018525460.tif 000023
【００８３】
グループ２の香料成分を本明細書の上で言及された量において含有するカプセル封入された香料組成物は、固体および液体のランドリーケア洗剤(laundry care detergents)などの激しい抽出性の媒体に懸濁させた際、漏出に対して耐久性がある。
【００８４】
約１５４０Ｂｏｈｒ３より大きいRECON_VOLTAE値によって特徴付けられる香料成分を含有する、本明細書に記載のそれらカプセル封入された香料組成物は、ここでそれら成分が、−３より大きいlog10 Kcapsを有することにより加えて特徴付けられる（つまりグループ２の成分）が、本発明の追加の態様を形成する。
【００８５】
さらに、該カプセル封入された香料組成物を含有する固体または液体の洗濯用洗剤組成物、およびパウチまたはポッド中に含有される単位剤形として設計され、しばしば当該技術分野において「液体タブ」と称される特定のそれらの体裁(formats)は、本発明のさらなる態様を形成する。
【００８６】
香料成分のグループ３は、１７５０Ｂｏｈｒ３より大きいRECON_VOLTAE値および−３より大きいlog10 Kcapsを有する成分によって特徴付けられる。グループ３の香料成分は、以下のものを包含するが、これらには限定されない：
【００８７】
【表３−１】
2018525460.tif 000024
【００８８】
【表３−２】
2018525460.tif 000025
【００８９】
【表３−３】
2018525460.tif 000026
【００９０】
【表３−４】
2018525460.tif 000027
【００９１】
グループ３の香料成分を本明細書の上で言及された量において含有するカプセル封入された香料組成物は、シャンプーおよびパーソナルケア用クレンジング組成物において出くわした、などの激しい抽出性の媒体に懸濁させた際、漏出に対して耐久性がある。
【００９２】
約１２００Ｂｏｈｒ３より大きいRECON_VOLTAE値によって特徴付けられる香料成分を含有する、本明細書の上に記載のそれらカプセル封入された香料組成物は、ここでそれら成分が、−３より大きいlog10 Kcapsを有することにより加えて特徴付けられる（つまりグループ３の成分）が、本発明の追加の態様を形成する。
【００９３】
さらに、該カプセル封入された香料組成物を含有するパーソナルケア用クレンジング組成物は、シャンプーおよびヘアコンディショナー(hair conditioners)を包含するが、本発明の尚さらなる態様を形成する。
【００９４】
カプセル封入された香料組成物の調合者が直面する特定の課題は、マイクロカプセルの安定性（つまり懸濁媒体中に分散したマイクロカプセルからの、香料成分の漏出に対する耐久性）と、性能（すなわちマイクロカプセルの、基体上に堆積した後の香料の痕跡を送達する能力）との間の許容し得る均衡をいかにしてうまく両立させるかである。典型的には、マイクロカプセルが、抽出性の基剤における保存中に特に安定である場合、そのときはそれらは、やや長持ちする傾向があり、仮にあったとしても、高いせん断力の適用の際に香料を放出するに過ぎないであろう。かかるマイクロカプセルが、布、毛髪(hair)または皮膚などの基体上に堆積する際、香料の痕跡は、処置された基体への強い摩擦によってしか目立つことがないかもしれない。かかるマイクロカプセルは、「摩擦後」の性能を所有すると言われるが、しばしばそれらの摩擦前の香りの痕跡は、弱いかまたは存在しない。
【００９５】
安定なマイクロカプセル、特に、攻撃性または抽出性の媒体中で安定であり、許容し得る摩擦前の香りの痕跡を呈するマイクロカプセルの提供は、依然として困難である。
本発明は、性能と良好に相関する別の物理化学的パラメーター、特に、コアシェル型マイクロカプセル中にカプセル封入された香料成分の摩擦前の香りの痕跡を明確に表現する。
【００９６】
香料成分の固有の摩擦前の香りの寄与分(Pre-Rub Odour Contribution)（「ＰＲＯＣ」）は、その標準的な香り値(Odour Value)（ＯＶｉ）およびその平衡ヘッドスペースカプセル分配係数Kcapsを乗じた、カプセル封入されるべき香料成分の濃度（ｗｔ％）から与えられる。したがって、各香料成分ｉについて、摩擦前の香りの寄与分は、
【数４】
2018525460.tif 000028
によって定義される。
【００９７】
さらに、成分の摩擦前の香りの部分寄与分（ｐＰＲＯＣ）は、その標準的な香り値（ＯＶｉ）およびその平衡ヘッドスペースカプセル分配係数Kcapsを乗じた香料中でのその濃度（ｗｔ％）として定義される。したがって、各香料成分ｉについて、摩擦前の香りの部分寄与分は、
【数５】
2018525460.tif 000029
によって定義される。
【００９８】
最後に、摩擦前の香りの総寄与分（ｔＰＲＯＣ）は、カプセル封入された香料組成物中のすべての成分にわたる摩擦前の香りの部分寄与分（ｐＰＲＯＣ）の合計である。
標準的な香り値（ＯＶｉ）は、成分の標準平衡ヘッドスペース濃度、対、この成分の香り検出しきい値(Odour Detection Threshold)の比率として定義される。
【００９９】
本明細書の上で使用される用語「標準平衡ヘッドスペース濃度」は、２５℃の温度での、および１気圧の圧力の下での、香料成分の凝縮された形態（すなわちその固体または液体の形態）と平衡にある前記香料成分の濃度を指す。それは、当該技術分野において知られている定量的ヘッドスペース分析手法のいずれかを使用することにより測定され得る。例えばMueller and Lamparsky in Perfumes: Art, Science and Technology, Chapter 6 “The Measurement of Odors”、１７６〜１７９頁（Elsevier 1991）を参照。
【０１００】
本明細書中で使用される用語、香り検出しきい値（ＯＤＴｉ）は、例えばMueller and Lamparsky（前掲書中）に記載のとおり、香料成分ｉがパネリストによって知覚され得、臭度測定によって測定され得る平均濃度を指す。
【０１０１】
平衡ヘッドスペース濃度は、以下のように測定されてもよい：５００ｍｇの試験化合物が、ヘッドスペースコンテナーに加えられ、それは次に密閉される。コンテナーは、次に、化合物が気相と液相との間の平衡に達するまで、２５℃一定でインキュベートされる。この飽和ヘッドスペースの定義された体積（通常０．５〜１ｌｔ）が、マイクロフィルター上に、Porapak TM Q（Sigma -Aldrichから入手可能）などのスチレン／ジビニルベンゼン多孔性材料を吸着剤として使用して捕獲される。適切な溶媒（通常３０〜１００ｕｌのメチルｔｅｒｔ．ブチルエーテル）でのフィルター抽出の後、抽出物のアリコートが、ガスクロマトグラフィー（ＧＣ）によって分析される。
【０１０２】
定量は、外部標準較正方法によって実施される。元のヘッドスペース中の濃度が、マイクロフィルター、およびガスクロマトグラフ中に注入されたフィルター抽出物のアリコートを通して吸収されたヘッドスペース体積から算出され得る（μｇ／ｌを単位として）。所与の試験化合物の最終のヘッドスペース濃度値は、３つの独立した測定値の平均値として得られる。本明細書の上に記載された手法のさらなる情報は、Etzweiler, F.; Senn E. and Neuner-Jehle N., Ber. Bunsen-Ges. Phys. Chem. 1984, 88, 578-583の論文から見出され得る（これは、参照によって本明細書中に組み込まれる）。
【０１０３】
香り検出しきい値（ＯＤＴｉ）は、オルファクトメーターを使用することにより測定され得る。以下のステップが実行され得、表１に列挙された各化合物についての香りしきい値が決定した。
【０１０４】
オルファクトメーターは、担体の気体中の匂い物質の線形希釈の原則に基づいて機能する。置き換えられた匂い物質の量は、その蒸気圧および担体の気体流に依存する。流量調節器によって調節された一定流量の窒素によって、匂い物質が試料コンテナーから混合チャンバへ運ばれる。そこで、担体の気体−香り混合物は、無香の空気で希釈される。混合チャンバから、希釈された香りのある空気の一部が、溶融石英毛細管を介して吸引漏斗(the sniffing funnel)へ流れさせる。毛細管を通しての流量は、混合チャンバから吸引漏斗中への香りのある空気の吸収量を決定するが、２つのステップにおいて１から２５６ｍｌまでＰＣを介して調節され得る弁を開くことに依存する。香りのある空気試料の最終希釈が、それらを無香の空気で８ｌｔ／ｍｉｎの流量で永続的にフラッシュすることによりガラス漏斗中で生じる。
【０１０５】
強制選択の三点提示(Forced-choice triangle presentation)は、特別な自動化チャンネル設定デバイスによって達成され、ここでスイッチの１つの位置のみにおいて、匂い物質送達毛細管が、吸引漏斗中に入っており、一方、他の２つの位置において、毛細管は、漏斗の外側に配置し、ここで流出物が吸い取られる。各試行の後、チャンネル設定は、自動的に、および順不同で変更される。蒸気圧の飽和が、試料発生器中で達成されるものと仮定して、濃度が、匂い物質の蒸気圧から、およびオルファクトメーターにおいて適用される希釈比から算出される。対照として、濃度が、毛細管流出物からヘッドスペースフィルター中への既知の体積を試料採取することにより、およびその後の、脱着溶液中の匂い物質のガスクロマトグラフィー的定量により分析的に決定される。
【０１０６】
各パネリスト（１５名のパネル）は、彼が匂い物質を中ぐらいの強度で知覚する濃度レベルで、オルファクトメーターで嗅ぎ始める。同じレベルでの３つの連続した試行における３つの正確な答え（または５つの試行の４つの正確な答え）の後、刺激濃度は、パネリストが彼のしきい値レベルに達するまで、次に低いレベルに対して２倍などで低下させられる。所与の匂い物質の最終的なしきい値は、すべての個々のしきい値レベルの平均値として得られる。
【０１０７】
良好な摩擦前の性能を示す本発明のカプセル封入された香料組成物は、組成物中にカプセル封入された香料成分の摩擦前の香りの総寄与分が、約０．５×１０８と１．０×１０９との間、より特定的には１×１０８と８×１０８との間、およびより特定的には尚１．５×１０８と６×１０８との間であるように、それらのＰＲＯＣ値に基づいて香料成分を選択することにより調製されてもよい。
【０１０８】
尚さらに、漏出、特に高度に抽出性／攻撃性の媒体における漏出に関しての安定性の点での最適な性能と、性能、特に摩擦前の性能とを有するコアシェル型マイクロカプセルを含むカプセル封入された香料組成物を得るために、香料成分は、組成物中にカプセル封入された香料成分の摩擦前の香りの総寄与分が、約０．５×１０８と１．０×１０９との間、より特定的には１×１０８と８×１０８との間、およびより特定的には尚１．５×１０８と６×１０８との間であるべきであり、かつ香料成分RECON_VOLTAEおよびlog10Kcaps値の分布が、本明細書の上に開示された範囲内にあるように、それらのＰＲＯＣ値に基づいて選択されてもよい。
【０１０９】
香料成分のグループ４およびそれら夫々のＰＲＯＣ値は、下の表に列挙される。高い総ＰＲＯＣ値を有するカプセル封入された香料組成物が、本明細書の下に特定されたグループ４の成分から構成されるのが好ましいが、本発明の教示を考慮して、当業者は、列挙されていない他の香料成分のＰＲＯＣ値を容易に計算し、それらを本発明のカプセル封入された香料組成物において使用し得る。
【０１１０】
グループ４の香料類成分は、以下のものを包含するが、これらには限定されない：−
【表４−１】
2018525460.tif 000030
【０１１１】
【表４−２】
2018525460.tif 000031
【０１１２】
【表４−３】
2018525460.tif 000032
【０１１３】
【表４−４】
2018525460.tif 000033
【０１１４】
【表４−５】
2018525460.tif 000034
【０１１５】
【表４−６】
2018525460.tif 000035
【０１１６】
【表４−７】
2018525460.tif 000036
【０１１７】
【表４−８】
2018525460.tif 000037
【０１１８】
本発明のカプセル封入された香料組成物が、少なくとも３種、より特定的には少なくとも５種、尚より特定的には少なくとも７種、およびより特定的には尚少なくとも９種のグループ４の香料成分を含有することが、好ましい。
【０１１９】
加えて、グループ４の成分を、特に少なくとも３種、より特定的には少なくとも５種、尚より特定的には少なくとも７種、およびより特定的には尚少なくとも９種のグループ４の香料成分を含む、本明細書の上に記載されたそれらカプセル封入された香料組成物は、本発明の追加の側面を表す。
【０１２０】
さらに、布用ソフナーまたは調製用組成物、特に構造化界面活性剤を含有するもの；または、固体もしくは液体の洗濯洗剤組成物、および特にパウチまたはポッド中に含有される単位剤形として設計され、しばしば当該技術分野において「液体タブ」と称されるそれらの体裁；または、グループ４の成分を含む本明細書中に記載のカプセル封入された香料組成物を含有する、シャンプーなどのパーソナルケア用クレンジング組成物を包含する、激しい抽出性の媒体は、本発明のさらなる態様を形成する。
【０１２１】
本発明の特定の態様において、カプセル封入された香料組成物は、カプセル封入された香料成分の摩擦前の香りの総寄与分が、０．５×１０８と１．０×１０９との間、より特定的には１×１０８と８×１０８との間、およびより特定的には尚１．５×１０８と６×１０８との間である点；およびカプセル封入された香料成分のRECON_VOLTAE値の分布が、以下のようになっている点において特徴付けられる。
【０１２２】
−  ７０ｗｔ％以上、より特定的には８０ｗｔ％以上、およびより特定的には尚９０ｗｔ％以上の香料成分が、１２００Ｂｏｈｒ３より大きい既知のRECON_VOLTAE値を有する；および
−  ０．１〜３０ｗｔ％、より特定的には１〜２０ｗｔ％、およびより特定的には尚１〜１０ｗｔ％の香料成分が、１２００Ｂｏｈｒ３より低いRECON_VOLTAE値を有する。
【０１２３】
本発明の別の特定の側面において、カプセル封入された香料組成物は、カプセル封入された香料成分の摩擦前の香りの総寄与分が、０．５×１０８と１．０×１０９との間、より特定的には１×１０８と８×１０８との間、およびより特定的には尚１．５×１０８と６×１０８との間である点；およびカプセル封入された香料成分のRECON_VOLTAE値の分布が、以下のようになっている点において特徴付けられる。
【０１２４】
−  ３０ｗｔ％以上、より特定的には３５ｗｔ％以上、およびより特定的には尚４０ｗｔ％以上の香料成分が、１５４０Ｂｏｈｒ３より大きい既知のRECON_VOLTAE値を有する；および
−  ２０〜６０ｗｔ％、より特定的には２５〜５０ｗｔ％、およびより特定的には尚３０〜４０ｗｔ％の香料成分が、１２００Ｂｏｈｒ３〜１５４０Ｂｏｈｒ３の既知のRECON_VOLTAE値を有する；および
−  ０．１〜３０ｗｔ％、より特定的には１〜２０ｗｔ％、およびより特定的には尚１〜１０ｗｔ％の香料成分が、１２００Ｂｏｈｒ３を下回る既知のRECON_VOLTAE値を有する。
【０１２５】
本発明の別の特定の態様において、カプセル封入された香料組成物は、０．５×１０８と１．０×１０９との間、より特定的には１×１０８と８×１０８との間、およびより特定的には尚１．５×１０８と６×１０８との間の摩擦前の香りの総寄与分によって特徴付けられる、カプセル封入された香料成分を含有し；およびカプセル封入された香料成分の既知のRECON_VOLTAE値の分布は、以下のようになっている：−
【０１２６】
−  ０．５〜３０、より特定的には１〜２５ｗｔ％、およびより特定的には尚５〜２０ｗｔ％の少なくとも１種の香料成分が、１７５０Ｂｏｈｒ３を上回る既知のRECON_VOLTAE値を有する；および
−  ２０〜６０ｗｔ％以上、より特定的には２５〜５５ｗｔ％以上、およびより特定的には尚３０〜５０ｗｔ％以上の香料成分が、１５４０Ｂｏｈｒ３から１７５０Ｂｏｈｒ３までの既知のRECON_VOLTAE値を有する；および
【０１２７】
−  ５〜５０ｗｔ％以上、特に１０〜４０ｗｔ％以上、およびより特定的には尚１５〜３０ｗｔ％以上の香料成分が、１２００Ｂｏｈｒ３から１５４０Ｂｏｈｒ３までの既知のRECON_VOLTAE値を有する；および
−  ０．１〜３０ｗｔ％、より特定的には１〜２０ｗｔ％、およびより特定的には尚１〜１０ｗｔ％の香料成分が、１２００Ｂｏｈｒ３を下回る既知のRECON_VOLTAE値を有する。
【０１２８】
本発明の別の特定の態様において、カプセル封入された香料組成物は、０．５×１０８と１．０×１０９との間、より特定的には１×１０８と８×１０８との間、およびより特定的には尚１．５×１０８と６×１０８との間の摩擦前の香りの総寄与分によって特徴付けられる、カプセル封入された香料成分を含有し；およびカプセル封入された香料成分の既知のRECON_VOLTAE値の分布は、以下のようになっている：−
【０１２９】
−  ７０ｗｔ％以上、より特定的には８０ｗｔ％以上、およびより特定的には尚９０ｗｔ％以上の香料成分が、１７５０Ｂｏｈｒ３より大きい既知のRECON_VOLTAE値を有する；および
−  ０．１〜３０ｗｔ％、より特定的には１〜２０ｗｔ％、およびより特定的には尚１〜１０ｗｔ％の香料成分が、１７５０Ｂｏｈｒ３を下回るRECON_VOLTAE値を有する。
【０１３０】
本発明において採用されてもよい他の香料成分、およびそれら夫々のRECON VOLTAEおよびlog10 Kcaps値は、以下の表中に述べられている。以下の香料成分の１種以上は、本発明に従うカプセル封入された香料組成物中に含有されてもよい。
【０１３１】
【表５−１】
2018525460.tif 000038
【０１３２】
【表５−２】
2018525460.tif 000039
【０１３３】
【表５−３】
2018525460.tif 000040
【０１３４】
【表５−４】
2018525460.tif 000041
【０１３５】
【表５−５】
2018525460.tif 000042
【０１３６】
【表５−６】
2018525460.tif 000043
【０１３７】
【表５−７】
2018525460.tif 000044
【０１３８】
【表５−８】
2018525460.tif 000045
【０１３９】
【表５−９】
2018525460.tif 000046
【０１４０】
【表５−１０】
2018525460.tif 000047
【０１４１】
【表５−１１】
2018525460.tif 000048
【０１４２】
【表５−１２】
2018525460.tif 000049
【０１４３】
【表５−１３】
2018525460.tif 000050
【０１４４】
【表５−１４】
2018525460.tif 000051
【０１４５】
【表５−１５】
2018525460.tif 000052
【０１４６】
【表５−１６】
2018525460.tif 000053
【０１４７】
【表５−１７】
2018525460.tif 000054
【０１４８】
【表５−１８】
2018525460.tif 000055
【０１４９】
【表５−１９】
2018525460.tif 000056
【０１５０】
【表５−２０】
2018525460.tif 000057
【０１５１】
【表５−２１】
2018525460.tif 000058
【０１５２】
本発明のカプセル封入された香料組成物は、好適な懸濁媒体中に分散した少なくとも１種のマイクロカプセルの形態で提示されてもよい。
多くの種々のタイプのマイクロカプセル組成物は、当該技術分野において、香料組成物をカプセル封入するために提案されている。本発明のマイクロカプセルは、当業者に知られている広範な従来の方法および材料を使用して調製されてもよい。
【０１５３】
例えば、マイクロカプセルは、内部相分離、層ごとのポリ電解質堆積、ゾル・ゲルプロセスまたは液滴形成などの物理化学的手段によって；または、界面重合、in-situ重合および重縮合などの化学的手段によって、形成され得る。
【０１５４】
液滴形成のプロセスは、典型的には、香料組成物の小滴の表面上へのコロイド材料（単数または複数）の沈殿による、一般に水不溶性の材料のカプセル封入化を伴う。液滴形成は、例として、ゼラチンなどの１種のコロイドを使用する単純なものであっても、あるいは、ゼラチンとアラビアゴムまたはゼラチンとカルボキシメチルセルロースなどの２種または恐らく３種以上の反対の電荷のコロイドが、ｐＨ、温度および濃度の注意深く制御された条件の下で使用される、複雑なものであってもよい。液滴形成手法は、例として、US2800458、US2800457、GB929403、EP385534およびEP376385に記載されており、これらは、参照によって本明細書に組み込まれる。
【０１５５】
界面重合のプロセスにおいて、重縮合によって反応する２種の反応体は、油−水界面で接触して、内部の油相中に存在する少なくとも１種の油溶性の壁形成材料と、水性の外部の相中に存在する少なくとも１種の水溶性の壁形成材料との反応からシェルが生成される。２種の壁形成材料間の重合反応が生じ、油相と水相との界面での共有結合の形成がもたらされて、マイクロカプセル壁が形成される。この方法によって生成されたマイクロカプセルの例は、ポリアミドおよびポリウレタンのマイクロカプセルである。
【０１５６】
重縮合は、撹拌の適切な条件下でのポリマー材料の前縮合物を含有する水性連続相中の香料小滴の分散系またはエマルションを形成して、所望のサイズのマイクロカプセルが生成されること、および酸触媒により前縮合物の縮合を引き起こすように、反応条件を調整し、その結果、縮合物が溶液から分離し、分散した香料小滴を包囲することで、整然としたフィルム(a coherent film)および所望のマイクロカプセルが生成されること、を伴う。重縮合手法は、例として、US3516941、US4520142、US4528226、US4681806、US4145184およびGB2073132に記載されており、これらは、参照によって本明細書に組み込まれる。
【０１５７】
本明細書において有用なマイクロカプセルを形成するための好ましい方法は、重縮合であり、典型的にはアミノプラストおよびポリ尿素のマイクロカプセルを生成するためのものである。
【０１５８】
アミノプラスト樹脂は、１種以上のアミンと、１種以上のアルデヒド、典型的にはホルムアルデヒドとの反応生成物である。好適なアミンの非限定例は、尿素、チオ尿素、メラミンおよびその誘導体、ベンゾグアナミンおよびアセトグアナミンおよびアミンの組み合わせを包含する。例えば、良好な結果が、WO 2008/098387に記載されているように、無水マレイン酸コポリマーで安定化された尿素／ホルムアルデヒドおよびメラミン／ホルムアルデヒドの混合樹脂のアミノプラストカプセルから、ならびにアクリルアミドスルホネートコポリマーで安定化されたポリアミン、ポリオールおよびメチレンオキシド部分を含むアミノプラストターポリマーから、得られている。
【０１５９】
WO 2008/098387（これは、その全体が本明細書に組み込まれる）に記載されているアミノプラストマイクロカプセルは、本発明のカプセル封入された香料組成物にとって、好ましいカプセル封入媒体である。
あるいはまた、マイクロカプセルは、US 6951836 B2に記載のとおりの油で媒介されるラジカル重合−相分離によって、または界面ラジカル重合によって、得られ得る。
【０１６０】
本発明のカプセル封入された香料組成物は、スラリーの形態で調製され、提示されてもよく、前記スラリー中のマイクロカプセルは、水性懸濁媒体中に分散している。カプセル封入された香料組成物が、この形態で提示することを意図する場合、スラリーのｐＨは、クエン酸またはギ酸などの好適な酸の添加によって約３〜８へ調整されてもよく、防腐剤が加えられてもよい。
【０１６１】
マイクロカプセルのスラリーは、典型的には、マイクロカプセルが保存中に、安定に懸濁し続け、クリーム状にならず、沈殿物を形成せず、またはそうでなければ凝集しないことを確実にするために、懸濁補助剤を含有するであろう。好適な分散補助剤は、ペクチン、アルギネート、アラビノガラクタン、カラギーナン、ジェランガム、キサンタンゴム、グアーゴム、アクリレート／アクリルポリマー、水膨潤性粘土、ヒュームド・シリカ、アクリレート／アミノアクリレートコポリマー、およびこれらの混合物を包含する。本明細書における好ましい分散剤は、アクリレート／アクリルポリマー、ジェランガム、ヒュームド・シリカ、アクリレート／アミノアクリレートコポリマー、水膨潤性粘土、およびこれらの混合物からなる群から選択されるものを包含する。
【０１６２】
微生物汚染を防止するために、マイクロカプセル組成物が、防腐剤を含有することが、望ましい。防腐剤は、コアの材料中に、および／または水性担体中に含有されていてもよい。好適な防腐剤は、四級化合物、ビグアニド化合物およびこれらの混合物を包含する。
【０１６３】
マイクロカプセル内に含有されてもよいいずれの香料組成物に加えて、本発明のマイクロカプセルのスラリーはまた、遊離の香料も懸濁媒体中に含有してもよい。
【０１６４】
あるいはまた、最初にスラリーの形態で提示されているカプセル封入された香料組成物は、乾燥されて、カプセル封入された香料組成物を粉末形態で提供してもよい。乾燥は、噴霧乾燥によって、または流動床乾燥によって直接実行されてもよい。あるいはまた、カプセル封入された香料組成物は、液体をスラリーからデカントオフし(decanting off)、固体をオーブン中で乾燥することによって乾燥されて、ケークを生成し得、そこでこれを、その後の粉砕ステップによって粉末の形態にもされ得る。
【０１６５】
凝集を防止し、マイクロカプセルのバルク流動特性を改善するために、いかなる手段をも採用されてカプセル封入された香料組成物を乾燥しても、乾燥プロセスの前またはそ後に流動助剤をスラリーへ加えることが望ましいこともある。好適な流動助剤は、当業者に知られており、限定されずに、シリカ、デンプン、炭酸カルシウムおよび硫酸ナトリウムを包含するであろう。
【０１６６】
本発明に従うカプセル封入された香料組成物において採用されるマイクロカプセルのサイズは、いずれの特定の適用における使用のために望ましいように調整され得る。約０．００１から約１，０００ミクロンまで、好ましくは約１から約５００ミクロンまで、より好ましくは約１０から約１００ミクロンまで、および尚より好ましくは約１０から約７０ミクロンまでの平均直径を有するマイクロカプセルが、調製され得る。
【０１６７】
平均粒子径は、当該技術分野において知られているやり方で決定され得る。粒子サイズを測定する特定の方法は、光散乱である。光散乱測定は、Malvern Mastersizerを使用してなされ得る。
【０１６８】
本発明に従うカプセル封入された香料組成物は、化粧品(cosmetic products)を包含する、家庭用品、洗濯用製品およびパーソナルケア製品において使用される消費者製品を包含する、ありとあらゆる消費者製品中へ組み込まれていてもよい。かかる消費者製品は、当該技術分野において周知であり、以下の著作を参照することができ、これは参照により本明細書に組み込まれる：
【０１６９】
The AOCS Pressから出版された、Formulating Detergents and Personal Care Products A guide to Product Development by L Ho Tan Tai, ISBN 1-893997-10-3。またthe Surfactant Science Series Liquid Detergents ISBN 0-8247-9391-9（Marcel Dekker Inc)の６７巻も同様。
【０１７０】
カプセル封入された香料組成物は、消費者製品の重量に基づいて約０．０３ｗｔ％〜１ｗｔ％のカプセル封入された香料組成物を、消費者製品に提供するレベルで、消費者製品中へ組み込まれていてもよい。このレベルの芳香に到達するために、消費者製品という基剤へ加えられるべきカプセル封入された香料組成物の量は、マイクロカプセル中へ積み込まれる香料成分の量、およびカプセル封入された香料組成物が基剤中へ組み込まれる形態を包含する多数の因子に依存するであろう。
【０１７１】
典型的には、カプセル封入された香料組成物は、約２０〜５０ｗｔ％、およびより特定的には３０〜４５ｗｔ％のマイクロカプセルを含有するスラリーの形態で組み込まれ、ここでマイクロカプセルは、香料成分のみを含有し、他の希釈剤または溶媒を含有しない。かかる場合において、上に記載されたレベルの香料を消費者製品に提供するために、典型的には、約０．１ｗｔ％と約３ｗｔ％との間のスラリーを消費者製品という基剤中へ組み込むであろう。
【０１７２】
本発明の特定の態様において、消費者製品は、布用の柔軟剤またはソフナーなどの、布処置用製品(a fabric treatment product)である。
布用ソフナーおよび柔軟剤の成分および調剤は、米国特許6,335,315；5,674,832；5,759,990；5,877,145；および5,574,179に開示されており、これらは、参照によって本明細書に組み込まれる。
【０１７３】
布用の柔軟剤またはソフナーは、典型的には、１６〜２２個の炭素原子を含む１つまたは２つのアルキル鎖、および任意に水酸基を有する窒素含有カチオン性界面活性剤を含む。カチオン性基は好ましくは、四級アンモニウム、イミダゾリウム基、およびアミドアミン酸塩である。四級アンモニウム基は加えて、１〜４個の炭素を有するアルキル基またはヒドロキシアルキルまたは水酸基、または典型的に約１〜約１０個のエチレンオキシド部分を有するアルコキシ基を２〜３個、およびハロゲン化物、水酸化物、酢酸および硫酸メチルの群から選択されるアニオンを有する。長いアルキル鎖は、好ましくは、エステル基によってカチオン性基へ結合される。
【０１７４】
かかる布調整用の活性剤(actives)の典型的な例は、エステルクワット（Ｎ−メチル−Ｎ，Ｎ，ビス［２−（Ｃ１６〜Ｃ１８アセトキシ）エチル）］−Ｎ−（２−ヒドロキシエチル）アンモニウムメトサルフェート）、ジエステルクワット（Ｎ，Ｎ，Ｎ−トリメチル−Ｎ−［１，２−ジ−（Ｃ１６〜Ｃ１８アシルオキシ）プロピルアンモニウム塩］、ＤＥＥＤＭＡＣ（Ｎ，Ｎ−ジメチル−Ｎ，Ｎ−ビス（［２−（−［（１−オキソオクタデシル）オキシ］エチル）アンモニウムクロリド、ＨＥＱ（Ｎ，Ｎ，Ｎ−トリメチル−Ｎ−［（Ｚ）−２−ヒドロキシ−３−［（１−オキソ−オクタデカ−９−エニル）オキシ］］アンモニウムクロリド、ＴＥＡＱ（Ｃ１０〜Ｃ２０飽和および不飽和脂肪酸とトリエタノールアミンとの間の反応生成物のジ四級化(diquaternized)硫酸メチル塩）、グリセリンをベースとしたポリオーエステルクワット、エチル−タローアルキルイミダゾリニウムメチルサルフェート、ジタローアルキルジメチルアンモニウムメチルサルフェート、メチルタローアルキルアミドエチルタローアルキルイミダゾリニウムメチルサルフェート、ｂ−ヒドロキシエチルエチレンジアミン誘導体、ポリアンモニウム等、およびそれらの混合物を包含する。
【０１７５】
さらなる布軟化用の活性剤は、例えばAjad Farooq and Charles J. Schramm, Handbook of Detergents - Part E: Applications, Surfactant Science Series 141, p. 181-200, CRC-Press, Broken Sound Parway, 2009に開示されている。
【０１７６】
布用柔軟剤またはソフナー中に存在してもよい典型的な非イオン性界面活性剤は、これらに限定されないが、アルキルおよびアルキルベンジルアルコールアルコキシレートまたはポリアルコキシル化カルボン酸、ポリアルコキシル化アミン、ポリアルコキシル化グリコールまたはグリセロールエステル、ポリアルコキシル化ソルビタンエステルまたはアルカノアミドを包含する。
【０１７７】
本発明の別の態様において、消費者製品は、洗濯用洗剤組成物であってもよい。
洗濯用洗剤の成分および調剤は、米国特許5,929,022；5,916,862；5,731,278；5,470,507；5,466,802；5,460,752；および5,458,810に開示されており、これらは、参照によって本明細書中に組み込まれる。
粉末洗剤または液体洗剤は、典型的には、アニオン性、両性イオン性および／または非イオン性の界面活性剤、およびそれらの混合物を含む。
【０１７８】
典型的なアニオン性界面活性剤は、ラウリル硫酸ナトリウム、ラウレス硫酸ナトリウム、トリデセス硫酸ナトリウム、ラウリル硫酸アンモニウム、ラウレス硫酸アンモニウム、ラウレス硫酸カリウム、直鎖状アルキルベンゼンスルホネート、ナトリウムトリデシルベンゼンスルホネート、ナトリウムドデシルベンゼンスルホネート、ナトリウムキシレンスルホネート、ラウリル硫酸モノエタノールアミン、ラウレス硫酸モノエタノールアミン、ラウリル硫酸トリエタノールアミン、ラウレス硫酸トリエタノールアミン、ラウリルサルコシン、ココイルサルコシン、ナトリウムラウリルサルコシネート、ナトリウムラウロイルサルコシネート、ラウリル硫酸トリエチルアミン、ラウレス硫酸トリエチルアミン、ラウリル硫酸ジエタノールアミン、ラウレス硫酸ジエタノールアミン、ラウリルモノグリセリドナトリウムサルフェート、ココイル硫酸アンモニウム、ラウロイル硫酸アンモニウム、ココイル硫酸ナトリウム、ラウロイル硫酸ナトリウム、ナトリウムココイルイセチオネート、ココイル硫酸カリウム、ラウリル硫酸カリウム、ココイル硫酸モノエタノールアミン、ラウリル硫酸モノエタノールアミン、ラウリル硫酸トリエタノールアミン、Ｃ５〜Ｃ１７アシル−Ｎ−（Ｃ１〜Ｃ４アルキル）グルカミンサルフェート、Ｃ５〜Ｃ１７アシル−Ｎ−（Ｃ１〜Ｃ４ヒドロキシアルキル）グルカミンサルフェート、ナトリウムヒドロキシエチル−２−デシルエーテルサルフェート、ナトリウムメチル−２−ヒドロキシデシルエーテルサルフェート、ナトリウムヒドロキシエチル−２−ドデシルエーテルサルフェート、ナトリウムモノエトキシル化ラウリルアルキルサルフェート、Ｃ１２〜Ｃ１８アルキルスルホネート、エトキシル化または天然の直鎖および分枝Ｃ１２〜Ｃ１８アルコールサルフェート、エトキシル化または天然の直鎖および分枝Ｃ１２〜Ｃ１８アルコールサルフェート、およびそれらの混合物を包含する。上のアニオン性界面活性剤はまた、それらの中和されていない酸形態でも使用されてもよい。
【０１７９】
典型的な非イオン性界面活性剤は、約１〜１２個のエチレンオキシド単位をもつＣ６〜Ｃ２４アルキルエトキシレートを包含する。脂肪族アルコールのアルキル鎖は、直鎖状または分枝状、一級または二級のいずれかであり得、一般に約６〜約２２個の炭素原子を含有する。非イオン性界面活性剤のさらなる例は、Ｃ１２〜Ｃ１６アルキルＮ−メチルグルカミドなどの、脂肪酸とグルカミンとの縮合生成物、および／または脂肪酸とエトキシル化アミンとの縮合生成物；Ｃ１０〜Ｃ２０アルキルモノまたはジアルカノールアミド（ここでアルキルオキシ基は、１〜３個の炭素原子を有する）、アルキル部分とアルカノールアミド部分との間に２〜２０個のアルキレンオキシド基を有する中間体ポリオキシアルキレン部分を有するＣ１０〜Ｃ２０アルキルモノまたはジアルカノールアミド；アルキルアミドプロピルジメチルアミン；オレイン酸、ミリスチン酸、ステアリン酸、パルミチン酸等とのソルビトールエステルなどの脂肪酸アルキルエステル（これはまた、Tween 20、Tween 40、およびTween 60などの商標でも知られている）；例えばＣ８〜Ｃ１０アルキルポリグリコシド、Ｃ１２〜Ｃ１６アルキルポリグリコシド、Ｃ５アミルを包含するアルキルポリグリコシド、を包含する。
【０１８０】
さらなる非イオン性界面活性剤は、オクタン酸ヘキサグルセリルエステル、デカン酸テトラグルセリルエステル、リシノール酸ヘキサグルセリルエステルおよびココイック酸(cocoic acid)テトラグルセリルエステルおよびそれらの混合物と同類の脂肪酸ポリグルセリルエステルなどの、グリセロールをベースとした界面活性剤を包含する。糖をベースとした非イオン性の界面活性剤について、本明細書の上で使用されるときの用語「アルキル」は、ヘキシル、オクチル、デカニル、ドデカニル、テトラデカニル、ヘキサデカニルおよびオクタデカニルを包含する、３〜２１個の炭素原子を有する飽和直鎖アルキル残基を指す。
【０１８１】
典型的な両性イオン性界面活性剤は、これらに限定されないが、直鎖または分枝のアルキル、またはアルケニル、またはヒドロキシルアルキルまたはアルコキシのラジカルを有する、脂肪族四級アンモニウム、ホスホニウムおよびスルホニウム化合物の誘導体を包含し、これらの一方は、約８〜約１８個の炭素原子を有し、これらの他方は、カルボキシル、スルホネート、サルフェート、スクシネート、ホスフェートまたはホスホネート基から選択されるアニオン性基を含有する。アルコキシラジカルは、典型的に約１〜約１０個のエチレンオキシド部分または約１〜約３個のグリセリル部分を包含する。ヒドロキシルアルキルラジカルは、典型的に１〜３個の炭素原子を有するアルキロール部分を含む。
【０１８２】
特定のクラスの両性イオン性界面活性剤は、少なくとも１つのメチレン基によって分離された、四級化カチオン性アンモニウム基およびアニオン性カルボキシレート基を含むベタインを包含し、例えば、ココジメチルカルボキシメチルベタイン、ラウリルジメチルカルボキシメチルベタイン、ラウリルジメチルアルファカルボキシエチルベタイン、セチルジメチルカルボキシメチルベタイン、オレイルジメチルガンマカルボキシプロピルベタイン、ラウリルおよびステアリルビス−（２−ヒドロキシエチル）カルボキシメチルベタイン、オレイルジメチルガンマカルボキシプロピルベタイン、およびラウリルビス−（２−ヒドロキシプロピル）アルファカルボキシエチルベタインである。
【０１８３】
他のベタインは、アミドアルキル、スルホアルキルおよびアルキルアミドスルホベタイン（ここでアルキル部分は典型的には、エチルまたはプロピル部分である）、例えば、ココアミドプロピルベタイン、ココジメチルスルホプロピルベタイン、ラウリルジメチルスルホエチルベタイン、ラウリルビス−（２−ヒドロキシエチル）スルホプロピルベタイン等を包含する。別の特定のクラスの両性イオン性界面活性剤は、スルタイン、ヒドロキシスルタインおよびアミドプロピルヒドロキシスルタインを包含する。
【０１８４】
典型的な両性イオン性および半極性の界面活性剤は、Ｃ１０〜Ｃ１８アルキルジメチルアミンオキシドおよびＣ８〜Ｃ１２アルコキシエチルジヒドロキシエチルアミンオキシド（ＮＮ−ジヒドロキシエチル−Ｎ−ステアラミンオキシドなど）、エトキシル化ラウラミドおよびラウリルジメチルアミンオキシド（またラウラミンオキシド（「ＬＯ」の名称としても知られている））、およびアルキルアンホカルボキン酸（ジナトリウムココアンホジアセテートなど）などの、水溶性アミンオキシドを包含する。
【０１８５】
液体または固体の洗濯用洗剤組成物は、例えば、パウチまたはポッドなどの水溶解可能なパッケージングに含有される単回の単位用量の形態で提供されてもよい。これらの製品が、単回用量であり、相対的に小さいサイズ（典型的に約１０〜２０ｍｌ体積）であるので、それらは、相対的に低用量の洗剤組成物で提供され、さらに、洗剤を入れているパッケージングが水溶性であるか、または少なくとも水中で容易に崩壊するので、組成物は、必然的に小体積の高度に濃縮された界面活性剤を含有し、したがってマイクロカプセルを組み込むための極めて攻撃性の媒体である。
【０１８６】
洗濯用の、洗濯用の追加のおよび／または布調整用の組成物を含むパウチにおいて、組成物は、以下の非限定列挙の成分の１つ以上を含んでもよい：布用仕上げ補助(fabric care benefit agent)剤；洗浄酵素；堆積助剤；レオロジー修正剤；混和剤(builder)；漂白剤(bleach)；漂白剤(bleaching agent)；漂白前駆体；漂白ブースター；漂白触媒；ポリグリセロールエステル；白色剤；真珠光沢剤；酵素安定化系；アニオン性染料のための固定剤、アニオン性界面活性剤のための錯化剤、およびそれらの混合物を包含する除去薬；光学的光沢剤または蛍光剤；これらに限定されないが、土壌放出ポリマーおよび／または土壌懸濁ポリマーを包含するポリマー；分散剤；消泡剤；非水性溶媒；脂肪酸；泡立ち抑制剤、例として、シリコーン泡立ち抑制剤（参照：米国公開No. 2003/0060390 A1、¶６５〜７７）；カチオン性デンプン（参照：US 2004/0204337 A1およびUS 2007/0219111 A1）；スカム分散剤（参照：US 2003/0126282 A1）；直接染料；ヒューイング染料（参照：US 2014/0162929A1）；着色剤；乳白剤；酸化防止剤；トルエンスルホネート、クメンスルホネートおよびナフタレンスルホネートなどのヒドロトロープ；色斑点；着色ビーズ、球または押し出し成形品；粘土柔軟剤；抗細菌剤。加えてまたは代わりに、組成物は、界面活性剤、四級アンモニウム化合物および／または溶媒系を含んでもよい。
【０１８７】
洗剤組成物は、約１重量％〜８０重量％の界面活性剤を含み得る。利用される洗浄用界面活性剤剤(Detersive surfactants)は、アニオン性、非イオン性、両性イオン性またはカチオン性タイプであり得るか、またはこれらのタイプの相溶性混合物を含み得る。より好ましい界面活性剤は、アニオン性、非イオン性、カチオン性界面活性剤およびこれらの混合物からなる群から選択される。本明細書において有用な洗浄界面活性剤(Detergent surfactants)は、米国特許3,664,961；3,919,678；4,222,905；および4,239,659に記載されている。アニオン性および非イオン性の界面活性剤が、好ましい。有用なアニオン性、非イオン性、両性イオン性またはカチオン性タイプの界面活性剤は、上に記載されたものである。
【０１８８】
洗濯用洗剤組成物は、約６〜約１０、約６．５〜約８．５、約７〜約７．５、または約８〜約１０のｐＨを有してもよく、ここで洗剤のｐＨは、２０±２℃での洗剤の水性１０％（重量／体積）溶液のｐＨとして定義される。
【０１８９】
本発明の尚別の態様において、消費者製品は、シャンプー、ヘアコンディショナーおよびパーソナルクレンジング組成物などのパーソナルケア製品である。シャンプーおよびヘアコンディショナー調剤および成分の例は、米国特許6,162,423；5,968,286；5,935,561；5,932,203；5,837,661；5,776,443；5,756,436；5,661,118；および5,618,523に記載されている。
【０１９０】
毛髪クレンジング組成物−シャンプー−は、アニオン性、非イオン性および／または両性イオン性の界面活性剤から選択される少なくとも１種の界面活性剤を、典型的には、組成物の総重量に基づいて、２〜６０ｗｔ％、より特定的には５〜５０ｗｔ％およびより特定的には５〜４０ｗｔ％の濃度範囲で含む。
【０１９１】
上に言及されたアニオン性、非イオン性および／または両性イオン性の界面活性剤のいずれも、毛髪クレンジング組成物に採用されてもよい。
アニオン性界面活性剤は、１から約３０ｗｔ％まで、特に２〜２５ｗｔ％および最も特に２〜２０ｗｔ％の量で存在してもよい。
【０１９２】
非イオン性界面活性剤は、総組成物に基づいて、約０．２５ｗｔ％から約５ｗｔ％まで、特に約０．５ｗｔ％〜約３．５ｗｔ％の量で採用されてもよい。
両性イオン性界面活性剤は、組成物の総重量に基づいて、約０．５重量％〜約１０重量％、より特定的には約１重量％〜約７．５重量％の量で採用されてもよい。
【０１９３】
本発明の毛髪調整用組成物は、リーブインまたはリンスオフのいずれかの組成物の形態であり得る。
好ましい界面活性剤は、非イオン性およびカチオン性のタイプであり、それらは、毛髪クレンジング組成物に関し上に言及された量で採用されてもよい。
【０１９４】
好適なカチオン性界面活性剤およびまたは調整剤(conditioning agents)は、例えば、セチルトリメチルアンモニウムクロリド、ミリストイルトリメチルアンモニウムクロリド、トリメチルセチルアンモニウムブロミド、ステアリルトリメチルアンモニウムクロリド、ジメチルステアリルアンモニウムクロリド、ジメチル二水素化タロウアンモニウムクロリド、ステアトリモニウムクロリド、ジパルミトイルジモニウムクロリド、ジステアリルジメチルアンモニウムクロリド、ステアラミドプロピルトリモニウムクロリドおよびジオレオイルエチルジメチルアンモニウムメトサルフェートなどの、単独で、または互いに混和されて使用され得る長鎖四級アンモニウム化合物である。
【０１９５】
特に有用なのは、いわゆるエステルクワットであるが、これは、「Schercoquat TM」、「Dehyquart TM F30」および「Tetranyl TM」の商標で利用可能なものなどの、周知の商業用成分である。ヘアケア組成物におけるエステルクワットの使用は、例えばWO-A 93/107 48、WO-A 92/068 99およびWO-A 94/166 77に記載されている。
【０１９６】
毛髪調整用組成物は、調整剤としてカチオン性ポリマーを含有してもよい。カチオン性調整剤は、これらに限定されないが、Polyquaternium 10などのセルロースタイプポリマー、またはグアーヒドロキシプロピルトリモニウムクロリドなどのカチオン性グアーガムを包含する。他のカチオン性調整剤は、キトサンおよびキチンなどの天然のカチオン性ポリマーを包含する。
【０１９７】
他のポリマーは、Polyquaternium 6、Polyquaternium 7、Polyquaternium 10、Polyquaternium 11、Polyquaternium 16、Polyquaternium 22およびPolyquaternium 28、Polyquaternium 30、Polyquaternium 37、Polyquaternium 36、およびPolyquaternium 46を包含する。尚さらに、Quaternium-8、Quaternium-14、Quaternium-15、Quaternium-18、Quaternium-22、Quatemium-24、Quaternium-26、Quaternium-27、Quatemium-30、Quatemium-33、Quaternium-53、Quatemium-60、Quaternium-61、Quaternium-72、Quatemium-78、Quaternium-80、Quaternium-81、Quaternium-81、Quaternium-82、Quaternium-83およびQuatemium-84。様々なカチオン性ポリマーの混合物を使用することもまた、可能である。
【０１９８】
カチオン性ポリマーはまた、例えばEP-A 524 612およびEP-A 640 643に記載されるとおり、オルガノポリシロキサンおよびポリエチルオキサゾリンからのグラフトポリマーの四級化生成物も包含してもよい。
典型的には、毛髪調整用組成物は、組成物の総重量に基づいて、該調整剤の０．０１ｗｔ％と７．５ｗｔ％との間、好ましくは０．０５ｗｔ％〜５ｗｔ％を含有してもよい。
【０１９９】
他の調整剤は、Dow Comingから利用可能な一連のDC fluid(the DC fluid ranges)などの、ジメチコン、ジメチコノール、ポリジメチルシロキサンを包含する、揮発性または不揮発性シリコーン油を包含してもよい。また好適なのは、オリーブオイル、アーモンドオイル、アボカド油、トウゴマ油、ココナッツ油、ヤシ油、胡麻油、落花生油、鯨油、ヒマワリ油、杏仁油、小麦麦芽油、マカダミアナッツ油、夜サクラソウ油、ホホバ油、ヒマシ油または大豆油、ラノリンおよびこれらの誘導体などの天然油、ならびにパラフィン油およびワセリンなどの鉱油もある。
【０２００】
非イオン性調整剤は、、例えばグリセリン、グリコールおよび誘導体などのポリオール、Carbowax PEG（Union Carbideから）および一連のPolyox WSR（Amercholから）の商標で知られているポリエチレングリコール、ポリグリセリン、ポリエチレングリコールモノまたはジ脂肪酸エステルであってもよい。
【０２０１】
上に述べられた追加の非カチオン性調整剤のいずれについての典型的な濃度範囲は、組成物の総重量に基づいて０．０１ｗｔ％〜１５ｗｔ％であり得る。
それらは加えて、少なくとも１種の飽和または不飽和の脂肪アルコールを含有してもよい。脂肪アルコールは、これらに限定されないが、ミリスチルアルコール、パルミチルアルコール、セチルアルコール、ステアリルアルコール、ベヘニルアルコールおよびこれらの混合物を包含する。脂肪アルコールの濃度は、組成物の総重量に基づいて２０ｗｔ％未満であってもよい。
コンディショナー組成物は、US 2015/0157550に開示されており、これは、参照によって本明細書に組み込まれる。
【０２０２】
例１
布用仕上げコンディショナーにおける使用のためのカプセル封入された香料組成物
マイクロカプセルを、WO/2008/098387、例１．３、試料Ｐ５．２に述べられている方法に従い、可変のRECON_VOLTAE、log10 KcapsおよびＰＲＯＣ値を有する種々の香料を使用して調製した。カプセルスラリーの固形分は、４０±２ｗｔ％であった。ここで「固形分」は、スラリー中の香料含有マイクロカプセルの重量による百分率を指す。各場合において、マイクロカプセルの０．２ｗｔ％と等価なスラリーの量を、表１．２に記載される調剤を有する布用仕上げソフナー組成物へ加えた。香料組成物を、表１．１．１〜１．１．４に報告する。
【０２０３】
【表６】
2018525460.tif 000059
【０２０４】
香料１．Ａは、１２００より低いRECON_VOLTAEを有するカプセル封入された香料成分の２７．５ｗｔ％；１２００より高いRECON_VOLTAEを有する成分の７２．５ｗｔ％；１５４０より高いRECON_VOLTAEを有する成分の９．４ｗｔ％；および１７５０より高いRECON_VOLTAEを有する成分の０．７ｗｔ％、を有していた。摩擦前の香りの総寄与分（ｔＰＲＯＣ）は、３．３×１０８であった。表１．１．１において、すべての平均は加重平均である。RECON_VOLTAE＜１２００は、RECON_VOLTAEが、１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが１７５０からこれ以上の間のいずれかの値を有し得ることを意味する。
【０２０５】
【表７】
2018525460.tif 000060
【０２０６】
香料１．Ｂは、１２００より低いRECON_VOLTAEを有する成分の５．８ｗｔ％；１２００より高いRECON_VOLTAEを有する成分の９４．２重量パーセントｗｔ％；１５４０より高いRECON_VOLTAEを有する成分の４１．１ｗｔ％；および１７５０より高いRECON_VOLTAEを有する成分の０ｗｔ％、を有していた。すべての成分は、アルデヒド(ALDEHYDE) ISO C 11およびピーチピュア(PEACH PURE)以外は、−３より高いlog10 Kcapsを有していた。摩擦前の香りの総寄与分（ｔＰＲＯＣ）は、３．３×１０８であった。表１．１．２において、すべての平均は加重平均である。RECON_VOLTAE＜１２００は、RECON_VOLTAEが、１から１１９９まで間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１５４０は、RECON_VOLTAEが、１７５０からそれ以上の間のいずれかの値を有し得ることを意味する。
【０２０７】
【表８】
2018525460.tif 000061
【０２０８】
香料１．Ｃは、１２００より低いRECON_VOLTAEを有する成分の４．０ｗｔ％；１２００より高いRECON_VOLTAEを有する成分の９６ｗｔ％；１５４０より高いRECON_VOLTAEを有する成分の６９．６ｗｔ％；および１７５０より高いRECON_VOLTAEを有する成分の２２．０ｗｔ％、を有していた。摩擦前の香りの総寄与分（ｔＰＲＯＣ）は、２．１×１０８であった。表１．１．３において、すべての平均は加重平均である。RECON_VOLTAE＜１２００は、RECON_VOLTAEが１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが、１７５０からそれ以上の間のいずれかの値を有し得ることを意味する。
【０２０９】
【表９】
2018525460.tif 000062
【０２１０】
香料１．Ｄは、１２００より低いRECON_VOLTAEを有する成分の０．８ｗｔ％；１２００より高いRECON_VOLTAEを有する成分の９９．２ｗｔ％；１５４０より高いRECON_VOLTAEを有する成分の６４．２ｗｔ％；および１７５０より高いRECON_VOLTAEを有する成分の４．１ｗｔ％、を有していた。摩擦前の香りの総寄与分（ｔＰＲＯＣ）は、１．６４×１０８であった。表１．１．４において、すべての平均は加重平均である。RECON_VOLTAE＜１２００は、RECON_VOLTAEが、１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが、１７５０からそれ以上の間のいずれかの値を有し得ることを意味する。
【０２１１】
【表１０】
2018525460.tif 000063
【０２１２】
表１．１．１〜１．１．４に述べられた香料組成物を含有する布用仕上げソフナー組成物を、サーモスタットで３７℃に維持された戸棚中に１カ月間置き、カプセルから浸出した遊離の香料の量を、下の例５に記載される方法を使用して決定した。
【０２１３】
例２
液体洗剤タブにおける使用のためのカプセル封入された香料組成物
アミノプラストマイクロカプセルを、以下の方法に従って調製した：
１．ポリマー安定剤（Lupasol PA 140、ex BASF）を水に、中程度のせん断混合の下で加え、溶解すること。
２．温度を３５±２℃に調整し、ｐＨをＮａＯＨで４．６±２に調整し、次にアルキロール化トリアミン前縮合物（Luracoll SD、ex BASF）、尿素および香料組成物を加えること。
３．中程度〜高度のせん断混合の下で、系を乳化すること。ここで撹拌速度およびミキサーの形状を、所望の平均マイクロカプセルサイズの範囲およびマイクロカプセルサイズ分布の関数として定義する。
４．温度を８８℃±１℃まで７５ｍｉｎの間にわたって増大させ、次に反応物を８８Ｃ±２℃で２ｈ１５の間放置すること。
【０２１４】
５．温度を８８℃±１℃まで７５ｍｉｎの間にわたって増大させ、次に反応物を８８Ｃ±２℃で３５ｍｉｎの間放置すること。アルキロール化トリアミンまたはトリアミン前縮合物およびギ酸のもう一部(a second portion)を加えること。
６．エチレン尿素をホルムアルデヒドスカ捕捉剤として加えること。１０ｍｉｎの間はスラリーは、尚高温である（８８℃）。
７．系を室温まで冷却すること。
８．Carbopolを溶液の下に加え、撹拌を１ｈ、１２９ｒｐｍで持続させ、次にＮａＯＨを加え、任意にｐＨを６から６．６までの範囲内にギ酸で調整する。
【０２１５】
上に記載されたプロセスにおいて採用された香料組成物を、表２．１．Ａおよび２．１．Ｂにおいて報告する。カプセルスラリーの固形分は３０±２ｗｔ％であったが、固形分は、香料含有カプセルの重量（ｗｔ％）を指す。各場合において、０．２ｗｔ％の香料含有カプセルと等価なスラリーの量を、表２．２に記載される調剤を有する液体洗剤タブ基剤組成物に加えた。
【０２１６】
【表１１】
2018525460.tif 000064
【０２１７】
香料２．Ａは、１２００より低いRECON_VOLTAEを有する成分の５．５ｗｔ％；１２００より高いRECON_VOLTAEを有する成分の９４．５ｗｔ％；１５４０より高いRECON_VOLTAEを有する成分の４０．９ｗｔ％；および１７５０より高いRECON_VOLTAEを有する成分の１８．６ｗｔ％、を有していた。摩擦前の香りの総寄与分（ｔＰＲＯＣ）は、３．９×１０８であった。表２．１．１において、すべての平均は加重平均である。RECON_VOLTAE＜１２００は、RECON_VOLTAEが、１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが１７５０からそれ以上の間のいずれかの値を有し得ることを意味する。
【０２１８】
【表１２】
2018525460.tif 000065
【０２１９】
香料２．Ｂは、１２００より低いRECON_VOLTAEを有する成分の７．１ｗｔ％；１２００より高いRECON_VOLTAEを有する成分の９２．９ｗｔ％；１５４０より高いRECON_VOLTAEを有する成分の６６．５ｗｔ％；および１７５０より高いRECON_VOLTAEを有する成分の６．６ｗｔ％、を有していた。摩擦前の香りの総寄与分（ｔＰＲＯＣ）は、１．５×１０８であった。表２．１．２において、すべての平均は加重平均である。RECON_VOLTAE＜１２００は、RECON_VOLTAEが、１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが１７５０からそれ以上の間のいずれかの値を有し得ることを意味する。
【０２２０】
【表１３】
2018525460.tif 000066
【０２２１】
上の香料組成物を含有する液体洗剤基剤を、恒温戸棚中に３７℃で１カ月間置き、カプセルから浸出した遊離の香料の量を、例５に記載される方法を使用して決定した。
【０２２２】
例３
ヘアケアコンディショナーにおける使用のための香料組成物
ポリ尿素のコアシェル型カプセルを、WO 2011/160733 A1に開示されている手順に従って、ポリイソシアネートおよびポリアミンの重縮合によって調製した。香料組成物を、表３．１に報告する。カプセルスラリーの固形分は、４０±２ｗｔ％であった。
【０２２３】
【表１４】
2018525460.tif 000067
【０２２４】
香料３Ａは、１２００より低いRECON_VOLTAEを有する成分の１１．０ｗｔ％；１２００より高いRECON_VOLTAEを有する成分の８９．０ｗｔ％；１５４０より高いRECON_VOLTAEを有する成分の４５．８ｗｔ％；および１７５０より高いRECON_VOLTAEを有する成分の４．６ｗｔ％、を有していた。摩擦前の香りの総寄与分（ｔＰＲＯＣ）は、５．９×１０７であった。表３．１において、すべての平均は加重平均である。RECON_VOLTAE＜１２００は、RECON_VOLTAEが、１から１１９９までの間のいずれかの値を有し得ることを意味し；１２００＜RECON_VOLTAE＜１５４０は、RECON_VOLTAEが、１２００と１５３９との間のいずれかの値を有し得ることを意味する。RECON_VOLTAE＞１７５０は、RECON_VOLTAEが、１７５０からそれ以上の間のいずれかの値を有し得ることを意味する。
【０２２５】
【表１５】
2018525460.tif 000068
【０２２６】
上の香料組成物を含有するヘアコンディショナー基剤を、恒温戸棚中に３７℃で１カ月間置き、カプセルから浸出した遊離の香料の量を、例５に記載される方法を使用して決定した。
【０２２７】
例４
シャンプーにおける使用のための香料組成物
ポリ尿素のコアシェル型カプセルを、WO 2011/160733 A1に開示されている手順に従って、ポリイソシアネートおよびポリアミンの重縮合によって調製した。香料組成物を、表４．１に報告する。カプセルスラリーの固形分は、４０±２ｗｔ％であった。
【０２２８】
【表１６】
2018525460.tif 000069
【０２２９】
香料４Ａは、１２００より低いRECON_VOLTAEを有する成分の１ｗｔ％；１５４０より高いRECON_VOLTAEを有する成分の９５％および１７５０より高いRECON_VOLTAEを有する成分の８９．１ｗｔ％、を有していた。摩擦前の香りの総寄与分（ｔＰＲＯＣ）は、２．３×１０７であった。表４．１において、すべての平均は加重平均である。RECON_VOLTAE＜１７５０は、RECON_VOLTAEが、１から１７４９までの間のいずれかの値を有し得ることを意味する。RECON_VOLTAE＞１７５０は、RECON_VOLTAEが、１７５０からそれ以上の間のいずれかの値であり得ることを意味する。
【０２３０】
【表１７】
2018525460.tif 000070
【０２３１】
上の香料組成物を含有するシャンプー基剤を、恒温戸棚中に３７℃で１カ月間置き、カプセルから浸出した遊離の香料の量を、例５に記載される方法を使用して決定した。
【０２３２】
例５
消費者製品基剤におけるカプセル漏出の決定
５マイクロメートルのシリンジフィルターを通して前もってろ過された、１ｇの消費者製品基剤試料を、３０ｍｌのフラスコ中で正確に秤量した。１ｇのCelite 545を加え、試料と混和した。１０ｍｌのペンタンを、次に０．５ｍｇの内部標準（デカン酸メチル９９％ Aldrich ref 299030）と一緒に試料に加えた。全体を、マグネティックスターラーを使用して３０分間撹拌した。ペンタン相を次に除去し、２マイクロリットルのアリコートを、スプリットレス注入器およびフレームイオン化検出器を装備したガスクロマトグラフ（ＧＣ）中に注入した。ＧＣオーブンの最初の温度は７０℃であり、最終温度は２４０℃であり、加熱の速度を２℃／ｍｉｎに設定した。注入器の温度は、２５０℃であった。６０ｍ*０．２５μｍ*０．２５μｍの寸法をもつRTX1 GCカラムを使用した。
【０２３３】
表３．１は、カプセル漏出分析からの結果を、RECON_VOLTAEおよびPROC値と共に要約する。
【０２３４】
【表１８】
2018525460.tif 000071
(*)カプセルPUを、WO 2011/0058929 A1、例２に記載のとおりに得た。
【０２３５】
結果は、RECON_VOLTAE値の区分と漏出との間に明瞭な相関性を示す。さらに、結果はまた、高いｔＰＲＯＣ値によって例示されるとおり、様々な貯蔵条件下で安定であるのみならず、一方で拡散性でもある香料組成物を得ることが可能であることを示す。逆に、高レベルの高いRECON_VOLTAE材料を使用して、極めて安定な香料組成物を得ることが可能であるが、次に摩擦前の衝撃は、次に許容し得る値を下回って減少し得る（例えばシャンプーにおける香料４Ａの場合を参照）。
【０２３６】
例６
一連の香料を、例２に記載されたプロセスを使用することによりカプセル封入した。これらの場合において、RECON_VOLTAE値の区分と摩擦前の香りの総寄与分（ｔＰＲＯＣ）との両方を変動させた。カプセルを、例２に記載された液体タブのための液体洗剤基剤中に分散させた。洗浄試験を、３７℃で恒温フード中の１カ月の保存の後に、標準的なフロントロード型洗浄機および標準基体としてテリー織のタオル地を使用して実施した。摩擦前の性能を、カプセルを破壊しないように注意して、乾燥タオル上でタオルを嗅ぐことにより評価した。１０名の訓練されたパネリストのパネルを使用した。評価スコアとカプセル封入された香料の特徴の両方を、表６に報告する。以下の相対的なスケールを使用した：１：ほとんど目立たない香り、２：中間の香り強度、３：強い香りおよび４：極めて強い香り。
【０２３７】
表６  保存の後の液体洗剤タブにおける香料の特長およびカプセルの摩擦前の性能（RVはRECON_VOLTAEを意味し、摩擦前の香りの総寄与分（tPROC）を明瞭化のために１０８で除した）
【表１９】
2018525460.tif 000072
【０２３８】
表６中の結果から明白なように、RECON_VOLTAEの区分とtPROCの区分との両方の点から明瞭な最適条件がある。pPROCパラメーターの関連性もまた、実証する。例５に述べられているとおり、１７５０より高いRECON_VOLTAE値を有する高レベルの成分は、保存中の漏出に対するカプセル耐久性に有益であるが、摩擦前の衝撃に対しては有害である。本例は、ＲＶ＞１７５０の成分を、本発明のカプセル封入された香料組成物において２０〜２５ｗｔ％より高いレベルで使用しないことが有利であることを教示する。
【国際調査報告】
2018525460.tif 000073
2018525460.tif 000074
2018525460.tif 000075
2018525460.tif 000076